(57)【要約】【課題】複雑なジェスチャー軌跡であっても、正しいジェスチャー操作を簡単に行うことができる画像形成システムを提供する。【解決手段】画像形成装置１は、ジェスチャー軌跡を記憶する記憶部１２と、ジェスチャー操作に伴う入力座標を検出し、検出した入力座標を出力する操作部２と、ジェスチャー軌跡を携帯端末５に送信するジェスチャー軌跡送信部１７１と、入力座標を携帯端末５に送信する入力座標送信部１７２とを具備し、携帯端末５は、タッチパネル５１と、画像形成装置１から受信したジェスチャー軌跡をタッチパネル５１にアシスト画面として表示させるアシスト画面表示部と、アシスト画面上に画像形成装置１から受信した入力座標の軌跡を表示させる入力座標表示部とを具備している。【選択図】図２
2016143116.tif 000002
【特許請求の範囲】
【請求項１】
ジェスチャー操作が予め設定されたジェスチャー軌跡と一致すると、前記ジェスチャー軌跡に対応する所定の機能設定を行う電子機器と、当該電子機器と通信可能な携帯端末とからなる電子機器システムであって、
前記電子機器は、
前記ジェスチャー軌跡を記憶する記憶部と、
前記ジェスチャー操作に伴う入力座標を検出し、検出した入力座標を出力する操作部と、
前記ジェスチャー軌跡を前記携帯端末に送信するジェスチャー軌跡送信部と、
前記入力座標を前記携帯端末に送信する入力座標送信部とを具備し、
前記携帯端末は、
表示部と、
前記電子機器から受信した前記ジェスチャー軌跡を前記表示部にアシスト画面として表示させるアシスト画面表示部と、
前記アシスト画面上に前記電子機器から受信した前記入力座標の軌跡を表示させる入力座標表示部とを具備することを特徴とする電子機器システム。
【請求項２】
前記携帯端末は、
前記電子機器から受信した前記ジェスチャー軌跡と前記入力座標の軌跡とを比較し、前記ジェスチャー軌跡と前記入力座標の軌跡とが一致すると、一致通知を前記電気機器に送信する軌跡判定部を具備し、
前記電子機器は、
前記携帯端末から前記一致通知を受信すると、前記ジェスチャー軌跡に対応する所定の機能設定を行う機能設定部を具備することを特徴とする請求項１記載の電子機器システム。
【請求項３】
前記軌跡判定部は、前記ジェスチャー軌跡と前記入力座標の軌跡とが一致しないと、前記入力座標の軌跡の前記ジェスチャー軌跡との不一致箇所を前記アシスト画面で強調表示させることを特徴とする請求項２記載の電子機器システム。
【請求項４】
前記アシスト画面表示部は、前記電子機器から受信した前記ジェスチャー軌跡の一部をランダムに抽出し、抽出した前記ジェスチャー軌跡の一部をアシスト画面として前記表示部に表示させることを特徴とする請求項１乃至３のいずれかに記載の電子機器システム。
【請求項５】
前記電子機器は、
外部記憶媒体が装着される記憶媒体装着ポートを具備し、
前記ジェスチャー軌跡送信部は、前記記憶媒体装着ポートに前記ジェスチャー軌跡が記憶された前記外部記憶媒体が装着されると、前記外部記憶媒体に記憶された前記ジェスチャー軌跡を前記携帯端末に送信することを特徴とする請求項１乃至４のいずれかに記載の電子機器システム。
【請求項６】
ジェスチャー操作が予め設定されたジェスチャー軌跡と一致すると、前記ジェスチャー軌跡に対応する所定の機能設定を行う電子機器と通信可能な携帯端末であって、
表示部と、
前記電子機器から前記ジェスチャー軌跡を受信し、受信した前記ジェスチャー軌跡を前記表示部にアシスト画面として表示させるアシスト画面表示部と、
前記電子機器から前記ジェスチャー操作に伴って検出された入力座標を受信し、受信した前記入力座標の軌跡を前記アシスト画面上に表示させる入力座標表示部とを具備することを特徴とする携帯端末。
【請求項７】
ジェスチャー操作が予め設定されたジェスチャー軌跡と一致すると、前記ジェスチャー軌跡に対応する所定の機能設定を行う電子機器と通信可能な携帯端末の制御プログラムであって、
前記電子機器から前記ジェスチャー軌跡を受信し、受信した前記ジェスチャー軌跡を前記携帯端末の表示部にアシスト画面として表示させ、
前記電子機器から前記ジェスチャー操作に伴って検出された入力座標を受信し、受信した入力座標の軌跡を前記アシスト画面上に表示させることを特徴とする制御プログラム。
【発明の詳細な説明】
【技術分野】
【０００１】
本発明は、ジェスチャー操作によって機能設定を行う電子機器と、当該電子機器と通信可能な携帯端末とからなる電子機器システムに関する。
【背景技術】
【０００２】
電子機器である複写機、ＭＦＰ（Multifunction Peripheral/Printer/Product）等の画像形成装置では、サービスマンはメンテナンスを行う際に、メンテナンス用画面に移行させて作業する必要がある。メンテナンス用画面は一般ユーザーには操作させたくないため、メンテナンス用画面への移行には、特殊な操作をする必要があった。特殊な操作としては、デバイスに設けられているテンキーを使い、予め設定された暗証番号を打ち込むことが一般的であったが、近年は、暗証番号に替えてジェスチャー操作が採用されるケースが増加している（例えば、特許文献１、２参照）。
【先行技術文献】
【特許文献】
【０００３】
【特許文献１】特開平９−２３７１４９号公報
【特許文献２】特開２００７−２７２７０８号公報
【発明の概要】
【発明が解決しようとする課題】
【０００４】
しかしながら、ジェスチャー操作による機能設定は、ジェスチャー操作で入力されたデータ（入力座標）の軌跡を検出して予め設定されたジェスチャー軌跡と一致するか否かを判定するため、簡単なジェスチャー軌跡だと一般ユーザーでも簡単に分かってしまう。そこで、ジェスチャー軌跡を複雑にする必要があるが、複雑なジェスチャー軌跡は、ジェスチャーの入力が難しく、ジェスチャーの入力を失敗して所望の機能選択を行うことができなくなってしまうという問題点があった。
【０００５】
本発明は、上記問題点を鑑みてなされたものであり、その目的とするところは、複雑なジェスチャー軌跡であっても、ジェスチャー操作を簡単に行うことができる電子機器システムを提供することを目的とする。
【課題を解決するための手段】
【０００６】
本発明の電子機器システムは、ジェスチャー操作が予め設定されたジェスチャー軌跡と一致すると、前記ジェスチャー軌跡に対応する所定の機能設定を行う電子機器と、当該電子機器と通信可能な携帯端末とからなる電子機器システムであって、前記電子機器は、前記ジェスチャー軌跡を記憶する記憶部と、前記ジェスチャー操作に伴う入力座標を検出し、検出した入力座標を出力する操作部と、前記ジェスチャー軌跡を前記携帯端末に送信するジェスチャー軌跡送信部と、前記入力座標を前記携帯端末に送信する入力座標送信部とを具備し、前記携帯端末は、表示部と、前記電子機器から受信した前記ジェスチャー軌跡を前記表示部にアシスト画面として表示させるアシスト画面表示部と、前記アシスト画面上に前記電子機器から受信した前記入力座標の軌跡を表示させる入力座標表示部とを具備することを特徴とする。
さらに、本発明の電子機器システムにおいて、前記携帯端末は、前記電子機器から受信した前記ジェスチャー軌跡と前記入力座標の軌跡とを比較し、前記ジェスチャー軌跡と前記入力座標の軌跡とが一致すると、一致通知を前記電気機器に送信する軌跡判定部を具備し、前記電子機器は、前記携帯端末から前記一致通知を受信すると、前記ジェスチャー軌跡に対応する所定の機能設定を行う機能設定部を具備しても良い。
さらに、本発明の電子機器システムにおいて、前記軌跡判定部は、前記ジェスチャー軌跡と前記入力座標の軌跡とが一致しないと、前記入力座標の軌跡の前記ジェスチャー軌跡との不一致箇所を前記アシスト画面で強調表示させても良い。
さらに、本発明の電子機器システムにおいて、前記アシスト画面表示部は、前記電子機器から受信した前記ジェスチャー軌跡の一部をランダムに抽出し、抽出した前記ジェスチャー軌跡の一部をアシスト画面として前記表示部に表示させても良い。
さらに、本発明の電子機器システムにおいて、前記電子機器は、外部記憶媒体が装着される記憶媒体装着ポートを具備し、前記ジェスチャー軌跡送信部は、前記記憶媒体装着ポートに前記ジェスチャー軌跡が記憶された前記外部記憶媒体が装着されると、前記外部記憶媒体に記憶された前記ジェスチャー軌跡を前記携帯端末に送信しても良い。
また、本発明の携帯端末は、ジェスチャー操作が予め設定されたジェスチャー軌跡と一致すると、前記ジェスチャー軌跡に対応する所定の機能設定を行う電子機器と通信可能な携帯端末であって、表示部と、前記電子機器から前記ジェスチャー軌跡を受信し、受信した前記ジェスチャー軌跡を前記表示部にアシスト画面として表示させるアシスト画面表示部と、前記電子機器から前記ジェスチャー操作に伴って検出された入力座標を受信し、受信した前記入力座標の軌跡を前記アシスト画面上に表示させる入力座標表示部とを具備することを特徴とする。
また、本発明の制御プログラムは、ジェスチャー操作が予め設定されたジェスチャー軌跡と一致すると、前記ジェスチャー軌跡に対応する所定の機能設定を行う電子機器と通信可能な携帯端末の制御プログラムであって、前記電子機器から前記ジェスチャー軌跡を受信し、受信した前記ジェスチャー軌跡を前記携帯端末の表示部にアシスト画面として表示させ、前記電子機器から前記ジェスチャー操作に伴って検出された入力座標を受信し、受信した入力座標の軌跡を前記アシスト画面上に表示させることを特徴とする。
【発明の効果】
【０００７】
本発明によれば、携帯端末でジェスチャー軌跡とジェスチャー操作に伴う入力座標の軌跡とを確認することができるため、複雑なジェスチャー軌跡であっても、正しいジェスチャー操作を簡単に行うことができ、所望の機能選択を行うことができるという効果を奏する。
【図面の簡単な説明】
【０００８】
【図１】本発明に係る電子機器の外観構成を示す斜視図である。
【図２】図１に示す画像形成装置の構成を示すブロック図である。
【図３】図１に示す携帯端末の構成を示すブロック図である。
【図４】図２に示す画像形成装置の処理の流れを示すフローチャートである。
【図５】図３に示す携帯端末の処理の流れを示すフローチャートである。
【図６】図３に示す携帯端末の表示例を示す図である。
【図７】図３に示す携帯端末の表示例を示す図である。
【発明を実施するための形態】
【０００９】
以下、図を参照して本発明の実施形態を詳細に説明する。なお、以下の実施形態において、同様の機能を示す構成には、同一の符号を付してある。
【００１０】
本実施の形態の電子機器は、図１に示すように、プリンター、複写機、ＭＦＰ（Multifunction Peripheral/Printer/Product）等の画像形成装置１である。画像形成装置１は、タッチパネル２１を備えた操作部２と、外部記憶媒体であるＵＳＢメモリー３が装着されるコネクタであるＵＳＢポート４とを備えている。なお、本実施の形態では、着脱可能な外部記憶媒体として、ＵＳＢ（Universal Serial Bus）の規格に準拠したＵＳＢメモリー３を装着可能に構成したが、ＳＤメモリーカード等の他の外部記憶媒体を接続可能に構成しても良い。また、画像形成装置１は、携帯電話、スマートフォン、タブレット端末、ＰＤＡ（Personal Digital Assistant）等の携帯端末５との間で、有線や無線のネットワークを介して各種データを送受信する機能を有している。
【００１１】
画像形成装置１は、メンテナンス機能の選択が許可されているメンテナンス作業者のジェスチャー操作、すなわちタッチパネル２１から入力された入力座標（ジェスチャー）の軌跡が予め設定されたジェスチャー軌跡と一致した場合には、このジェスチャー軌跡に対応する所定の機能設定としてメンテナンス機能を選択して設定し、タッチパネル２１をメンテナンス用画面に移行させる機能を有している。
【００１２】
また、画像形成装置１は、図２を参照すると、原稿読取部１１と、記憶部１２と、画像処理部１３と、印刷部１４と、通信部１５、ＵＳＢコントローラー１６と、制御部１７とを備えている。
【００１３】
操作部２のタッチパネル２１は、各種操作キーや画像形成状況を表示する表示部の表面に透明の感圧センサーが設けられており、表示手段及び入力手段として機能する。タッチパネルは、ジェスチャー操作等に伴う表示面への指の接触を検知して、指の接触が検知された入力座標を出力する。
【００１４】
原稿読取部１１は、図示しない原稿給紙装置により給紙されてきた原稿や、ユーザーによってプラテンガラスに載置された原稿に対して光を照射し、その反射光等を受光して原稿画像を読み取るスキャナーである。
【００１５】
記憶部１２は、半導体メモリーやＨＤＤ等の記憶手段であり、原稿読取部１１によって読み取られた画像データや、通信部１５によって受信された印刷データ等が蓄積される記憶手段である。また、記憶部１２には、ジェスチャー操作と比較するためのジェスチャー軌跡が予め記憶されている。なお、記憶部１２へのジェスチャー軌跡の記憶は、出荷時に予め行っておくようにしても良く、メンテナンス機能に設定されている状態で行うようにしても良い。さらに、通信先である携帯端末５を特定する端末特定情報（ネットワーク上のアドレス等）が記憶されている。なお、記憶部１２への端末特定情報の記憶は、メンテナンス機能に設定されている状態で行われる。また、ジェスチャー軌跡は、例えば、軌跡を描いた画像データで構成される。
【００１６】
画像処理部１３は、画像データに対して所定の画像処理を行う手段である。画像処理部１３では、例えば、拡大縮小処理や、濃度調整、階調調整等の画像改善処理が行われる。
【００１７】
印刷部１４は、記憶部１２に記憶された画像データを印刷する印刷手段である。印刷部１４は、例えば、記憶部１２から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１８】
通信部１５は、無線ネットワークを介して携帯端末５と各種データを送受信する機能を有する。他にも、通信部１５は、ＬＡＮ（Local Area Network）ケーブルを介して携帯端末５と各種データを送受信する機能を有してもよい。
【００１９】
ＵＳＢポート４は、ＵＳＢ２．０やＵＳＢ３．０の規格に準拠し、ＵＳＢメモリー３が装着されると検出信号を出力する機能と、ＵＳＢメモリー３に記憶されたデータを読み出し、読み出したデータをＵＳＢコントローラー１６に出力する機能を有している。
【００２０】
ＵＳＢコントローラー１６は、ＵＳＢポート４からの検出信号に基づいてＵＳＢメモリー３がＵＳＢポート４に装着されているか否かを判定する機能と、データ読み出し命令を制御部１７から受け取ると、ＵＳＢポート４に装着されたＵＳＢメモリー３に記憶されたデータを読み出して制御部１７に出力する機能とを備えている。
【００２１】
制御部１７は、操作部２、原稿読取部１１、記憶部１２、画像処理部１３、印刷部１４、通信部１５及びＵＳＢコントローラー１６にそれぞれ接続されている。制御部１７は、ＲＯＭ、ＲＡＭ等を備えたマイクロコンピュータ等の情報処理部である。ＲＯＭには画像形成装置１の動作制御を行うための制御プログラムが記憶されている。制御部１７は、ＲＯＭに記憶されている制御プログラムを読み出し、制御プログラムをＲＡＭに展開させることで、装置全体の制御を行う。また、制御部１７は、ジェスチャー軌跡送信部１７１、入力座標送信部１７２及び機能設定部１７３として機能する。
【００２２】
ジェスチャー軌跡送信部１７１は、操作部２においてメンテナンス機能が選択されると、記憶部１２に記憶されているジェスチャー軌跡を通信部１５によって携帯端末５に送信する。また、ジェスチャー軌跡送信部１７１は、ＵＳＢスロット４に装着されたＵＳＢメモリー３にジェスチャー軌跡が記憶されていると、ＵＳＢメモリー３に記憶されているジェスチャー軌跡を通信部１５によって携帯端末５に送信する。
【００２３】
入力座標送信部１７２は、ジェスチャー操作に伴う入力座標が検出されると、検出された入力座標を通信部１５によって携帯端末５に送信する。
【００２４】
機能設定部１７３は、携帯端末５から一致通知を受信すると、メンテナンス機能を選択して設定し、タッチパネル２１をメンテナンス用画面に移行させる。
【００２５】
携帯端末５は、メンテナンス作業者の所有物である。携帯端末５は、図３に示すように、タッチパネル５１と、記憶部５２と、通信部５３と、制御部５４とを備えている。
【００２６】
タッチパネル５１は、各種情報を表示する表示部と各種操作キーを備えたユーザーインターフェースである。タッチパネル５１は、表示パネルの表面に透明の感圧センサーが設けられた表示手段及び入力手段として機能する。
【００２７】
記憶部５２は、半導体メモリーやＨＤＤ（Hard Disk Drive）等の記憶手段であり、ジェスチャーアシストＡＰＰ５２１が記憶されている。ジェスチャーアシストＡＰＰ５２１は、メンテナンス機能に設定するためのジェスチャー操作をアシスト（補助）するためのアプリケーションプログラムであり、携帯端末５にインストールされている。メンテナンス作業者は、通信部５３を介してインターネットなどからジェスチャーアシストＡＰＰ５２１をダウンロードして、携帯端末５にインストールすることができる。
【００２８】
通信部５３は、無線ネットワークを介して、画像形成装置１と各種データを送受信する機能を有する。
【００２９】
制御部５４は、タッチパネル５１、記憶部５２及び通信部５３にそれぞれ接続され、タッチパネル５１から入力された所定の指示情報に応じて携帯端末５全体の動作制御を実行する。制御部５４は、ＲＯＭ（Read Only Memory）、ＲＡＭ（Random Access Memory）等を備えたマイクロコンピュータ等の情報処理部である。ＲＯＭには携帯端末１の動作制御を行うための制御プログラムが記憶されている。制御部５４は、ＲＯＭに記憶されている制御プログラムを読み出し、制御プログラムをＲＡＭに展開させることで、タッチパネル５１から入力された所定の指示情報に応じて端末全体の制御を行う。
【００３０】
また、制御部５４は、記憶部５２に記憶されたジェスチャーアシストＡＰＰ５２１を読み出して、ＲＡＭに展開させて、ジェスチャーアシストＡＰＰ５２１を起動させる。これにより、制御部５４は、ジェスチャーアシストＡＰＰ５２１の機能を実現するアシスト画面表示部５４１、入力座標表示部５４２及び軌跡判定部５４３として動作する。
【００３１】
アシスト画面表示部５４１は、画像形成装置１からのジェスチャー軌跡を受信すると、受信したジェスチャー軌跡を記憶部５２に記憶させると共に、受信したジェスチャー軌跡の一部を抽出し、一部を抽出したジェスチャー軌跡をアシスト画面としてタッチパネル５１に表示させる。
【００３２】
入力座標表示部５４２は、画像形成装置１から入力座標を受信すると、受信した入力座標を記憶部５２に記憶させると共に、受信した入力座標を示すポイント表記をタッチパネル５１のアシスト画面上に表示させる。
【００３３】
軌跡判定部５４３は、ジェスチャー軌跡と入力座標の軌跡とを比較し、両者、すなわちジェスチャー軌跡と入力座標の軌跡とが一致しているか否かを判断する。そして、両者が一致している場合には、軌跡判定部５４３は、一致通知を通信部５３によって画像形成装置１に送信する。
【００３４】
次に、画像形成装置１におけるメンテナンス機能の設定動作について図４を参照して詳細に説明する。
画像形成装置１の制御部１７は、メンテナンス作業者による操作部２からのメンテナンス機能の選択と（ステップＡ１）、ＵＳＢポート４へのＵＳＢメモリー３の装着と（ステップＡ２）、を待機している。
【００３５】
ステップＡ１でメンテナンス機能が選択されると、制御部１７は、ジェスチャー軌跡送信部１７１として機能し、記憶部１２に記憶されているジェスチャー軌跡を通信部１５によって携帯端末５に送信し（ステップＡ３）、タッチパネル２１にジェスチャー操作受付画面を表示させる（ステップＡ４）。
【００３６】
また、ステップＡ２でＵＳＢスロット４にＵＳＢメモリー３が装着されると、制御部１７は、ＵＳＢメモリー３にジェスチャー軌跡が記憶されているか否かを判断する（ステップＡ５）。そして、ステップＡ５でＵＳＢメモリー３にジェスチャー軌跡が記憶されている場合には、制御部１７は、ジェスチャー軌跡送信部１７１として機能し、ＵＳＢメモリー３に記憶されているジェスチャー軌跡を通信部１５によって携帯端末５に送信し（ステップＡ６）、タッチパネル２１にジェスチャー操作受付画面を表示させる（ステップＡ４）。なお、ジェスチャー軌跡の送信先である携帯端末５は、記憶部１２に記憶された端末特定情報によって特定される。
【００３７】
ステップＡ５でＵＳＢメモリー３にジェスチャー軌跡が記憶されていない場合には、制御部１７は、メンテナンス機能の設定動作を終了させる。なお、ジェスチャー軌跡に予め設定されたファイル名や拡張子を付与しておくことで、ＵＳＢメモリー３にジェスチャー軌跡が記憶されているか否かを判断することができる。
【００３８】
次に、制御部１７は、ジェスチャー操作受付画面（タッチパネル２１）からのジェスチャー操作の入力開始、すなわちジェスチャー操作に伴う入力座標の検出を待機する（ステップＡ７）。そして、ステップＡ７で入力座標を検出すると、制御部１７は、内蔵しているタイマーのカウントを開始させると共に（ステップＡ８）、入力座標送信部１７２として機能し、検出した入力座標を通信部１５によって携帯端末５に送信する（ステップＡ９）。
【００３９】
次に、制御部１７は、ステップＡ８のカウント開始から予め設定された所定時間の経過と（ステップＡ１０）、携帯端末５からの不一致通知の受信と（ステップＡ１１）、携帯端末５からの一致通知の受信と（ステップＡ１２）、入力座標の移動と（ステップＡ１３）、を監視する。
【００４０】
ステップＡ１３で入力座標の移動が検出されると、ステップＡ９に戻って、制御部１７は、入力座標送信部１７２として機能し、新たに検出した入力座標を通信部１５によって携帯端末５に送信する。
【００４１】
ステップＡ１２で携帯端末５から一致通知を受信すると、制御部１７は、機能設定部１７３として機能し、メンテナンス機能を選択して設定し（ステップＡ１４）、タッチパネル２１をメンテナンス用画面に移行させる。
【００４２】
ステップＡ１１で携帯端末５から不一致通知を受信すると、制御部１７は、タッチパネル２１にエラーメッセージを表示させることで、メンテナンス機能への移行を失敗したことをメンテナンス作業者に通知し（ステップＡ１５）、メンテナンス機能の設定動作を終了させる。
【００４３】
ステップＡ１０で予め設定された所定時間の経過が検出されると、制御部１７は、メンテナンス機能の設定動作の終了を通知する終了通知を通信部１５によって携帯端末５に送信し（ステップＡ１６）、ステップＡ１５に至る。
【００４４】
次に、携帯端末５におけるジェスチャーアシスト動作について図５乃至図７を参照して詳細に説明する。
携帯端末５の制御部５４は、画像形成装置１からのジェスチャー軌跡の受信を待機している（ステップＢ１）。そして、ステップＢ１でジェスチャー軌跡を受信すると、制御部５４は、記憶部５２に記憶されたジェスチャーアシストＡＰＰ５２１を読み出して、ＲＡＭに展開させて、ジェスチャーアシストＡＰＰ５２１を起動させる（ステップＢ２）。これにより、制御部５４は、ジェスチャーアシストＡＰＰ５２１の機能を実現するアシスト画面表示部５４１、入力座標表示部５４２及び軌跡判定部５４３として動作する。
【００４５】
アシスト画面表示部５４１は、ステップＢ１で受信したジェスチャー軌跡を記憶部５２に記憶させると共に、受信したジェスチャー軌跡の一部を抽出し、一部を抽出したジェスチャー軌跡をアシスト画面としてタッチパネル５１に表示させる（ステップＢ３）。ジェスチャー軌跡には、図６（ａ）に示すように、ジェスチャー操作を開始する開始ポイントと、ジェスチャー操作を終了する終了ポイントとが設定されており、ステップＢ３では、図６（ｂ）に示すように、開始ポイントから終了ポイントに至るジェスチャー軌跡の一部がタッチパネル５１に表示される。なお、アシスト画面表示部５４１によるジェスチャー軌跡の抽出は、抽出箇所の間隔（ａ、ｂ、ｃ、ｄ、ｅ、ｆ）が一定にならないようにランダム（不規則）に行われる。これにより、アシスト画面は、ジェスチャー軌跡を予め知っているメンテナンス作業者にとってジェスチャー操作の目安となるが、ジェスチャー軌跡を知らない一般ユーザーにとっては、アシスト画面からジェスチャー軌跡を推測することが困難である。従って、一般ユーザーが携帯端末５を不正に入手しても、メンテナンス機能に設定することができない。
【００４６】
また、図６（ｃ）に示すように、アシスト画面として、一部を抽出したジェスチャー軌跡を記号や数字等の表記に変換してタッチパネル５１に表示させるようにしても良い。なお、図６（ｃ）に示すように、一部を抽出したジェスチャー軌跡を数字に変換することで、開始ポイントから終了ポイントに至る方向を示すようにしても良い。
【００４７】
入力座標表示部５４２は、画像形成装置１からの入力座標の受信を待機すると共に（ステップＢ４）、軌跡判定部５４３は、画像形成装置１からの終了通知の受信を待機する（ステップＢ５）。ステップＢ４で入力座標を受信すると、入力座標表示部５４２は、受信した入力座標を記憶部５２に記憶させると共に、受信した入力座標を示すポイント表記をタッチパネル５１のアシスト画面上に表示させる（ステップＢ６）。なお、ステップＢ５で終了通知を受信した場合には、軌跡判定部５４３は、ジェスチャーアシスト動作を終了させる。
【００４８】
次に、軌跡判定部５４３は、受信した入力座標が終了ポイントか否かを判断し（ステップＢ７）、受信した入力座標が終了ポイントでない場合には、ステップＢ４に戻って、入力座標表示部５４２が画像形成装置１からの入力座標の受信を待機する。これにより、タッチパネル５１のアシスト画面上には、画像形成装置１から入力座標を受信する度にポイント表記が表示され、図７（ａ）に示すように、ジェスチャー操作、すなわち入力座標の軌跡がタッチパネル５１に表示されていくことになる。また、記憶部５２には、入力座標の軌跡が記憶されていくことになる。
【００４９】
ステップＢ７で、受信した入力座標が終了ポイントである場合には、軌跡判定部５４３は、ジェスチャー軌跡と入力座標の軌跡とを比較し（ステップＢ８）、両者、すなわちジェスチャー軌跡と入力座標の軌跡とが一致しているか否かを判断する（ステップＢ９）。そして、ステップＢ９で、図７（ｂ）に示すように両者が一致している場合には、軌跡判定部５４３は、一致通知を通信部５３によって画像形成装置１に送信し（ステップＢ１０）、ジェスチャーアシスト動作を終了させる。
【００５０】
ステップＢ９で、図７（ｃ）に示すように両者が一致していない場合には、軌跡判定部５４３１は、不一致通知を通信部５３によって画像形成装置１に送信すると共に（ステップＢ１１）、入力座標送信部１７２は、入力座標の軌跡において、ジェスチャー軌跡との不一致箇所を通知し（ステップＢ１２）、ジェスチャーアシスト動作を終了させる。アシスト画面において、不一致箇所を色や太さ等を変更して強調表示することで、ステップＢ１２での不一致箇所の通知を行うことができる。
【００５１】
以上説明したように、本実施の形態によれば、ジェスチャー操作が予め設定されたジェスチャー軌跡と一致すると、ジェスチャー軌跡に対応する所定の機能設定を行う画像形成装置１と、画像形成装置１と通信可能な携帯端末５とからなる電子機器システムであって、画像形成装置１は、ジェスチャー軌跡を記憶する記憶部１２と、ジェスチャー操作に伴う入力座標を検出し、検出した入力座標を出力する操作部２と、ジェスチャー軌跡を携帯端末５に送信するジェスチャー軌跡送信部１７１と、入力座標を携帯端末５に送信する入力座標送信部１７２とを具備し、携帯端末５は、タッチパネル５１と、画像形成装置１から受信したジェスチャー軌跡をタッチパネル５１にアシスト画面として表示させるアシスト画面表示部５４１と、アシスト画面上に画像形成装置１から受信した入力座標の軌跡を表示させる入力座標表示部５４２とを具備している。
この構成により、メンテナンス作業者が所有している携帯端末５でジェスチャー軌跡とジェスチャー操作に伴う入力座標の軌跡とを確認することができるため、複雑なジェスチャー軌跡であっても、正しいジェスチャー操作を簡単に行うことができ、所望の機能選択を行うことができる。
【００５２】
さらに、本実施の形態において、携帯端末５は、画像形成装置１から受信したジェスチャー軌跡と入力座標の軌跡とを比較し、ジェスチャー軌跡と入力座標の軌跡とが一致すると、一致通知を画像形成装置１に送信する軌跡判定部５４３を具備し、画像形成装置１は、携帯端末５から一致通知を受信すると、ジェスチャー軌跡に対応する所定の機能設定を行う機能設定部１７３を具備している。
この構成により、ジェスチャー操作の判定を携帯端末５で行うことができるため、画像形成装置１の構成を簡略化することができる。
【００５３】
さらに、本実施の形態において、軌跡判定部５４３は、ジェスチャー軌跡と入力座標の軌跡とが一致しないと、入力座標の軌跡のジェスチャー軌跡との不一致箇所をアシスト画面で強調表示させる。
この構成により、ジェスチャー操作をミスした場合、不一致箇所を確認することができるため、次回のジェスチャー操作において、不一致箇所を簡単に修正することができる。
【００５４】
さらに、本実施の形態において、アシスト画面表示部５４１は、画像形成装置１から受信したジェスチャー軌跡の一部をランダムに抽出し、抽出したジェスチャー軌跡の一部をアシスト画面としてタッチパネル５１に表示させる。
この構成により、アシスト画面は、ジェスチャー軌跡を予め知っているメンテナンス作業者にとってジェスチャー操作の目安となるが、ジェスチャー軌跡を知らない一般ユーザーにとっては、アシスト画面からジェスチャー軌跡を推測することが困難である。従って、一般ユーザーが携帯端末５を不正に入手しても、メンテナンス機能に設定することができない。
【００５５】
さらに、本実施の形態は、画像形成装置１は、ＵＳＢメモリー３が装着されるＵＳＢポート４を具備し、ジェスチャー軌跡送信部１７１は、ＵＳＢポート４にジェスチャー軌跡が記憶されたＵＳＢメモリー３が装着されると、ＵＳＢメモリー３に記憶されたジェスチャー軌跡を携帯端末５に送信する。
この構成により、ＵＳＢメモリー３に記憶されたジェスチャー軌跡に基づいて、ジェスチャー操作の判定を行うことができる。従って、メンテナンス作業者は、画像形成装置１毎のジェスチャー軌跡を覚える必要が無く、自身に割り当てられたジェスチャー軌跡を覚えることで、複数の画像形成装置１の機能設定を行うことができる。
【００５６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５７】
１  画像形成装置
２  操作部
３  ＵＳＢメモリー
４  ＵＳＢポート
５  携帯端末
１１  原稿読取部
１２  記憶部
１３  画像処理部
１４  印刷部
１５  通信部
１６  ＵＳＢコントローラー
１７  制御部
２１  タッチパネル
５１  タッチパネル
５２  記憶部
５３  通信部
５４  制御部
１７１  ジェスチャー軌跡送信部
１７２  入力座標送信部
１７３  機能設定部
５２１  ジェスチャーアシストＡＰＰ
５４１  アシスト画面表示部
５４２  入力座標表示部
５４３  軌跡判定部
【図１】
2016143116.tif 000003
【図２】
2016143116.tif 000004
【図３】
2016143116.tif 000005
【図４】
2016143116.tif 000006
【図５】
2016143116.tif 000007
【図６】
2016143116.tif 000008
【図７】
2016143116.tif 000009